【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
ポリアリルアミン・コーティングでコートされたポリエステルフィルムの層を含むラミネートであって、
該ポリエステルフィルムの層が、少なくとも１つの他のポリマー層に隣接し、かつそれと直接接触しており、
該他のポリマー層が、イオノプラスト樹脂、ポリウレタン、ポリ塩化ビニル、ポリアセタール、およびエチレン・酸共重合体よりなる群から選択されたポリマーを含み、
前記ポリアリルアミン・コーティングが、前記ポリエステルフィルムを、前記少なくとも１つの他のポリマー層に接着させることを特徴とするラミネート。
【請求項２】
前記ポリマーが、イオノプラスト樹脂であることを特徴とする請求項１に記載のラミネート。
【請求項３】
以下の（１）、（２）、（３）、（４）及び（５）を含むことを特徴とするラミネート。
（１）（２）に隣接し、かつそれに接着している第１ポリマー層であって、ポリビニルブチラール、イオノプラスト樹脂、ポリウレタン、ポリ塩化ビニル、ポリアセタール、およびエチレン・酸共重合体よりなる群から選択されたポリマーを含む第１ポリマー層、
（２）（３）にさらに隣接し、かつそれに接着している第１ポリエステルフィルム層であって、両面をポリアリルアミン・コーティングでコートされたポリエステルフィルムを含む第１ポリエステルフィルム層、
（３）（４）にさらに隣接し、かつそれに接着している第２ポリマー層であって、ポリビニルブチラール、イオノプラスト樹脂、ポリウレタン、ポリ塩化ビニル、ポリアセタール、およびエチレン・酸共重合体よりなる群から選択されたポリマーを含む第２ポリマー層、
（４）（５）にさらに隣接し、かつそれに接着している第２ポリエステルフィルム層であって、両面をポリアリルアミン・コーティングでコートされたポリエステルフィルムを含む第２ポリエステルフィルム層、
（５）ポリビニルブチラール、イオノプラスト樹脂、ポリウレタン、ポリ塩化ビニル、ポリアセタール、およびエチレン・酸共重合体よりなる群から選択されたポリマーを含む第３ポリマー層。
【請求項４】
ポリアリルアミン・コーティングでコートされたポリエステルフィルムの層を含むラミネートを含む物品であって、
該ポリアリルアミン・コーティングが、少なくとも１つの他のポリマー層に隣接し、かつそれと直接接触し、
該他のポリマー層が、ポリビニルブチラール、イオノプラスト樹脂、ポリウレタン、ポリ塩化ビニル、ポリアセタール、およびエチレン・酸共重合体よりなる群から選択されたポリマーを含み、
前記ポリアリルアミン・コーティングが、前記ポリエステルフィルムを、前記少なくとも１つの他のポリマー層に接着させることを特徴とする物品。
【請求項５】
以下の（ａ）及び（ｂ）を含むことを特徴とするガラスラミネート。
（ａ）（ｂ）に隣接し、かつそれに接着しているポリエステルフィルムの層であって、ポリアリルアミン・コーティングでコートされたポリエステルフィルムの層、
（ｂ）ポリビニルブチラール、イオノプラスト樹脂、ポリウレタン、ポリ塩化ビニル、ポリアセタール、およびエチレン・酸共重合体よりなる群から選択されたポリマーを含むポリマー層であって、該ポリマー層が前記ガラスに積層されているポリマー層。
【請求項６】
以下の（１）、（２）及び（３）を含むことを特徴とするラミネート。
（１）（２）に隣接し、かつそれに接着している第１ポリマー層であって、ポリビニルブチラール、イオノプラスト樹脂、ポリウレタン、ポリ塩化ビニル、ポリアセタール、およびエチレン・酸共重合体よりなる群から選択されたポリマーを含む第１ポリマー層、
（２）（３）にさらに隣接し、かつそれに接着しているポリエステルフィルム層であって、両面をポリアリルアミン・コーティングでコートされたポリエステルフィルムを含むポリエステルフィルム層、
（３）ポリビニルブチラール、イオノプラスト樹脂、ポリウレタン、ポリ塩化ビニル、ポリアセタール、およびエチレン・酸共重合体よりなる群から選択されたポリマーを含む第２ポリマー層。
【請求項７】
前記第１ポリマー層が、ポリエステルフィルム層に隣接し、かつそれに接着している請求項６に記載のラミネートであって、
該ポリエステルフィルム層が、ポリエステルフィルムを含み、
該ポリエステルフィルムが、前記第１ポリマー層に隣接する面をポリアリルアミン・コーティングでコートされ、そして他面をハードコートでコートされていることを特徴とするラミネート。
【請求項８】
以下の（１）及び（２）を含むことを特徴とするラミネート。
（１）（２）に隣接し、かつそれに接着しているポリマー層であって、ポリビニルブチラール、イオノプラスト樹脂、ポリウレタン、ポリ塩化ビニル、ポリアセタール、およびエチレン・酸共重合体よりなる群から選択されたポリマーを含むポリマー層、
（２）ポリエステルフィルムを含むポリエステルフィルム層であって、該ポリエステルフィルムが、前記ポリマー層に隣接する面をポリアリルアミン・コーティングでコートされ、そして他面をハードコートでコートされているポリエステルフィルムであるポリエステルフィルム層。
【請求項９】
以下の（１）、（２）及び（３）、すなわち、
（１）（２）と直接接触するイオノプラスト樹脂ポリマー層、
（２）（３）とさらに直接接触する、両面をポリアリルアミン・コーティングでコートされたポリエステルフィルム、及び
（３）ポリビニルブチラールポリマー層を含むラミネートであって、
９０度剥離強度が前記ポリマー層について少なくとも１５ポンド／インチであることを特徴とするラミネート。
【請求項１０】
以下の（１）及び（２）を含むラミネート。
（１）（２）に隣接し、かつそれに接着しているポリマー層であって、ポリビニルブチラール、イオノプラスト樹脂、ポリウレタン、ポリ塩化ビニル、ポリアセタール、およびエチレン・酸共重合体よりなる群から選択されたポリマーを含むポリマー層、
（２）両面をポリアリルアミン・コーティングでコートされたポリエステルフィルム層であって、該ポリマー層と反対側の面をハードコートでさらにコートされているポリエステルフィルムを含むポリエステルフィルム層。
【請求項１１】
以下の（ａ）、（ｂ）、（ｃ）及び（ｄ）を含むことを特徴とするラミネートの製造方法。
（ａ）ポリアリルアミンでコートされたポリエステルフィルムを提供する工程、
（ｂ）ポリビニルブチラール、イオノプラスト樹脂、ポリウレタン、ポリ塩化ビニル、ポリアセタール、エチレン・酸共重合体シートよりなる群から選択されたポリマーシートを提供する工程、
（ｃ）前記ポリエステルフィルムのポリアリルアミン被覆表面を、前記ポリマーシートに接触させる工程、
（ｄ）前記ポリエステルフィルムの被覆表面を、加熱によって前記ポリマーシートに接着させる工程。
【請求項１２】
前記ポリマーシートが、ポリビニルブチラールシートおよびイオノプラスト樹脂シートから選択されることを特徴とする請求項１１に記載の方法。
【手続補正２】
【補正対象書類名】明細書
【補正対象項目名】００２１
【補正方法】変更
【補正の内容】
【００２１】
一般に、本発明のラミネートは車両用途でだけでなく建築用途でも有用であり得る。例えば、本発明のラミネートは、ビルディングの窓、ドア、棚、ディスプレイ・キャビネット、間仕切りとして、ハリケーン窓、耐銃弾性グレージング、自動車のサイドライトおよび風防、飛行機および列車の窓として、ならびに積層グレージングを使用することができる他の用途で有用であり得る。
以下、本明細書に記載の発明につき、列記する。
１．  ポリエステルフィルムの少なくとも１つの層を含むラミネートであって、
該ポリエステルフィルムの層が、ポリアリルアミン・ポリマーコーティング（プライマー）でコートされ、
該ポリマーコーティングが、少なくとも１つの他のポリマー層に隣接し、かつそれと直接接触しており、
該他のポリマー層が、ＰＥＴ、ＰＶＢ、イオノプラスト樹脂、ポリウレタン、ポリ塩化ビニル、ポリカーボネート、ポリアセタール、エチレン・酸共重合体（エチレン・酸三元重合体を含む）、ポリエチレンおよびポリプロピレンをはじめとするポリオレフィン（ポリエチレンおよびポリプロピレンを含む）よりなる群から選択されたポリマーを含む少なくとも１つの他のポリマー層に隣接し、かつそれと直接接触するポリアリルアミン・ポリマーコーティング（プライマー）でコートされたポリエステルフィルムの少なくとも１つの層を含むていることを特徴とするラミネート。
２．  前記プライマーが、前記他のポリマーへの塗布前に約１９０℃より上の温度に加熱され、そして延伸されたことを特徴とする前記１．に記載のラミネート。
３．  前記プライマーと直接接触した前記他のポリマーが、ＰＶＢであることを特徴とする前記２．に記載のラミネート。
４．  前記プライマーと直接接触した前記他のポリマーが、イオノプラスト樹脂であることを特徴とする前記２．に記載のラミネート。
５．  前記プライマーが、前記他のポリマーの２つと直接接触し、前記２つの他のポリマーが、同じポリマータイプではないことを特徴とする前記２．に記載のラミネート。
６．  前記プライマーと直接接触した前記２つの他のポリマーの少なくとも１つが、ＰＥＴであることを特徴とする前記５．に記載のラミネート。
７．  前記プライマーと直接接触した前記他のポリマーが、ＰＶＢであることを特徴とする前記６．に記載のラミネート。
８．  前記プライマーと直接接触した前記他のポリマーが、イオノプラスト樹脂であることを特徴とする前記６．に記載のラミネート。
９．  前記プライマーと直接接触した前記２つの他のポリマーが、ＰＶＢおよびイオノプラスト樹脂であることを特徴とする前記５．に記載のラミネート。
１０．前記プライマーと直接接触した前記ＰＥＴが、その他方の表面上にポリシロキサン耐摩耗性コーティング（ＰＡＲＣ）を含むことを特徴とする前記６．に記載のラミネート。
１１．  前記プライマーと直接接触した前記他のポリマーが、ＰＶＢであることを特徴とする前記１０．に記載のラミネート。
１２．  前記プライマーと直接接触した前記他のポリマーが、イオノプラスト樹脂であることを特徴とする前記１０．に記載のラミネート。
１３．  以下の（１）、（２)、（３）、（４）及び（５）を含むことを特徴とするラミネート。
（１）（２）と接触する第１ポリマー層と、
（２）（３）とさらに直接接触するポリアリルアミン・コーティング（プライマー）でコートされたポリエステルフィルムと、
（３）（４）とさらに直接接触する第２ポリマー層と、
（４）（５）とさらに直接接触する第２プライマー層と、
（５）第３ポリマー層とを含むことを特徴とするラミネート。
１４．  前記第１、第２および第３ポリマーがＰＥＴ、ＰＶＢ、イオノプラスト樹脂、ポリウレタン、ポリ塩化ビニル、ポリカーボネート、ポリアセタール、エチレン・酸共重合体（エチレン・酸三元重合体を含む）、ポリエチレンおよびポリプロピレンをはじめとするポリオレフィン（ポリエチレンおよびポリプロピレンを含む）よりなる群から選択されたポリマーであり、かつ、前記第１および第３ポリマーが前記第２ポリマーと同じポリマータイプではないことを特徴とする前記１３．に記載のラミネート。
１５．  前記第１ポリマーがＰＥＴであることを特徴とする前記１４．に記載のラミネート。
１６．  前記第１および第３ポリマーが、それぞれＰＥＴであることを特徴とする前記１５．に記載のラミネート。
１７．  前記第１ポリマーか第３ポリマーかのどちらかが、前記プライマーと直接接触しない表面上に、ポリシロキサン耐摩耗性コートをさらに含むことを特徴とする前記１６．に記載のラミネート。
１８．  前記第２ポリマーが、ＰＥＴであることを特徴とする前記１４．に記載のラミネート。
１９．  前記第１および第３ポリマーが、同じポリマータイプであることを特徴とする前記１８．に記載のラミネート。
２０．  前記第１ポリマーが、イオノプラスト樹脂であることを特徴とする前記１９．に記載のラミネート。
２１．  前記第３ポリマーが、ＰＶＢであることを特徴とする前記１９．に記載のラミネート。
２２．  前記第１および第３ポリマーが同じものであり、かつ、前記第１ポリマーも第２ポリマーもＰＥＴではないことを特徴とする前記１４．に記載のラミネート。
２３．  前記第１ポリマーが、ＰＶＢであることを特徴とする前記２２．に記載のラミネート。
２４．  前記第１ポリマーが、イオノプラスト樹脂であることを特徴とする前記２２．に記載のラミネート。
２５．  前記第１および第３ポリマーが異なり、かつ、前記第１ポリマーも第２ポリマーもＰＥＴではないことを特徴とする前記１４．に記載のラミネート。
２６．  以下の（１）、（２）及び（３）を含み、剥離強度がラミネートについて少なくとも１０ポンド／インチであることを特徴とするラミネート。
（１）（２）と直接接触するイオノプラスト樹脂層と、
（２）（３）とさらに直接接触するポリアリルアミン・コーティング（プライマー）でコートされたポリエステルフィルムと、
（３）ポリビニルブチラール（ＰＶＢ）層とを含むラミネートであって、剥離強度がラミネートについて少なくとも１０ポンド／インチであることを特徴とするラミネート。
２７．  以下の（１）及び（２）の工程、すなわち
（１）ポリアリルアミン−ベースのポリマーのコーティング（プライマー）を有するポリエステルフィルムを、ポリエチレンテレフタレート（ＰＥＴ）、ポリビニルブチラール（ＰＶＢ）、およびエチレン・酸共重合体アイオノマー（イオノプラスト樹脂）よりなる群から選択されたポリマーの少なくとも１つの表面に付着する施す工程と、及び
（２）コートされたポリアリルアミン被覆表面を、ＰＥＴ、ＰＶＢ、イオノプラスト樹脂、ポリウレタン、ポリ塩化ビニル、ポリカーボネート、ポリアセタール、エチレン・酸共重合体（エチレン・酸三元重合体を含む）、ポリエチレンおよびポリプロピレンをはじめとするポリオレフィン(ポリエチレン及びポリプロピレンを含む)よりなる群のポリマーから選択された少なくとも１つのポリマー層と接触させる工程、
とを含むラミネートの製造方法であって、
前記プライマーがポリマーシートにインライン塗布（ａｐｐｌｉｅｄ  ｉｎ  ｌｉｎｅ）され、かつ、前記プライマーが前記ポリマー表面への塗布前に約１７０℃より上の温度に加熱され、そして延伸されたることを特徴とする方法。
２８．  前記１．に記載のラミネートを含むことを特徴とする物品。
２９．  自動車、窓、ディスプレイ・キャビネット、列車、飛行機、ボート、ビルディング、階段、天井、壁、および天窓よりなる群の物品から選択された物品であることを特徴とする前記２８．に記載の物品。